【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  文書の機械読取り可能ゾーン内の第１の印を自動読取りするための文書読取り装置であって、前記第１の印は、可視光の照明を受けた場合には不可視であり、不可視光の照明を受けた場合には可視であるオプトエレクトロニクス読取り装置において、
（ａ）前記読取り装置によって読取られるべき前記機械読取り可能ゾーンをなす、文書を配置するための読取り面と、
（ｂ）前記読取り面から離れたところに配置される複数のＵＶ  ＬＥＤの第１の光源であって、前記第１の印を可視化すべく該第１の光源が駆動されたときに、所定の紫外線周波数範囲の不可視光で前記読取り面上の、文書の前記機械読取り可能ゾーンを照明するように構成され、前記第１の印は前記所定の紫外線周波数範囲の前記不可視光による照明を受けた場合に可視光を発出するようなＵＶ螢光物質を含む複数の第１の光源と、
（ｃ）画像センサであって、その上に集束された光により画定される画像を捕捉すると共にその捕捉された画像を表わす電子データを生成するように構成される画像センサと、
（ｄ）前記読取り面と前記画像センサとの間に延び、前記画像センサ上に画像を画定するように光を集束させるレンズを備える光路と、
（ｅ）前記第１の光源の反射光を除去するように構成される前記光路内の光学フィルタと、
（ｆ）前記捕捉された画像から前記印を識別すると共に表示および／または処理のためにその識別された印を出力するように構成された文書コントローラと、
を含み、ここに、
前記第１の光源が駆動されたときに前記読取り面上の、前記文書の前記機械読取り可能ゾーンにより発出および／または反射される光によって画定される前記第１の印を含む文書画像が、前記光路を介して前記画像センサに転送され該画像センサにより捕捉されることを特徴とする印読取り用オプトエレクトロニクス文書読取り装置。
【請求項２】  前記光学フィルタが、前記レンズと前記画像センサとの間に配置される請求項１に記載の文書読取り装置。
【請求項３】  前記光路が、該光路内の複数の反射表面により折り畳まれる請求項１に記載の文書読取り装置。
【請求項４】  前記光路が、該光路内の複数の反射表面により折り畳まれる請求項２に記載の文書読取り装置。
【請求項５】  前記機械読取り可能ゾーン内の第２の印の自動読取り用にさらに構成され該第２の印は可視光での照明を受けた場合に可視になると共に、前記読取り面から離れたところに配置される複数の第２の光源であって、該第２の光源が駆動されたときに可視光で前記機械読取り可能ゾーンを照明するように構成される複数の第２の光源を、さらに含んでなり、ここに該第２の光源が駆動されると、前記機械読取り可能ゾーンにより発出および／または反射された光により画定される前記第２の印を前記文書画像が含むことになる請求項３に記載の文書読取り装置。
【請求項６】  前記機械読取り可能ゾーン内の第３の印の自動読取り用にさらに構成され該第３の印はＯＣＲ標準仕様に従って構成された文字を含むと共に、前記読取り面から離れたところに配置される第３の光源であって、該第３の光源が駆動されたときに前記ＯＣＲ標準仕様に従って所定の赤外線周波数範囲の光で前記機械読取り可能ゾーンを照明するように構成される複数の第３の光源を、さらに含んでなり、ここに該第３の光源が駆動されると、前記機械読取り可能ゾーンにより発出および／または反射された光により画定される前記第３の印を前記文書画像が含むことになる請求項５に記載の文書読取り装置。
【請求項７】  前記第２の光源は可視ＬＥＤである請求項５に記載の文書読取り装置。
【請求項８】  前記第３の光源はＩＲ  ＬＥＤである請求項６に記載の文書読取り装置。
【請求項９】  前記光源の駆動を制御するように構成されたコントローラをさらに含む請求項８に記載の文書読取り装置。
【請求項１０】  前記コントローラは、前記第１、第２および第３の光源を順次駆動するように構成される請求項９に記載の文書読取り装置。
【請求項１１】  前記光源が、前記第３の光源、前記第２の光源および前記第１の光源の順序で駆動される請求項１０に記載の文書読取り装置。
【請求項１２】  前記光源は、第１の列が前記第１の光源を含み、第２の列が前記第２の光源を含み、第３の列が前記第３の光源を含むように配置されており、各前記列の前記光源は、前記機械読取り可能ゾーンを均等に照明をするように配置される請求項１０に記載の文書読取り装置。
【請求項１３】  前記列から生成される照明は、前記画像センサの飽和を回避するのに相当する強度を有する請求項１２に記載の文書読取り装置。
【請求項１４】  前記第１の光源による前記照明は、３７０ｎｍのピーク波長を有する請求項１０に記載の文書読取り装置。
【請求項１５】  前記第２の光源による前記照明は、６５０ｎｍのピーク波長を有する請求項１４に記載の文書読取り装置。
【請求項１６】  前記第３の光源による前記照明は、８５０ｎｍのピーク波長を有する請求項１５に記載の文書読取り装置。
【請求項１７】  前記第１の印は、符号化情報を含む請求項１に記載の文書読取り装置。
【請求項１８】  文書の機械読取り可能ゾーン内の第１の印を自動読取りするための方法であって、前記第１の印は、可視光の照明を受けた場合には不可視であり、不可視光の照明を受けた場合には可視となる方法において、
（ａ）前記機械読取り可能ゾーンをなす、文書を配置するための読取り面を提供する段階と、
（ｂ）前記読取り面から離れたところに配置される複数のＵＶ  ＬＥＤの第１の光源であって、前記第１の印を可視化すべく該第１の光源が駆動されたときに所定の紫外線周波数範囲の不可視光で前記読取り面上の、文書の前記機械読取り可能ゾーンを照明するように構成され、前記第１の印は前記所定の紫外線周波数範囲の前記不可視光による照明を受けた場合に可視光を発出するようなＵＶ螢光物質を含む複数の第１の光源を提供する段階と、
（ｃ）画像センサであって、その上に集束された光により画定される画像を捕捉すると共にその捕捉された画像を表わす電子データを生成するように構成される画像センサを提供する段階と、
（ｄ）前記読取り面と前記画像センサとの間に延び、前記画像センサ上に画像を画定するように光を集束させるレンズを含む光路を提供する段階と、
（ｅ）前記第１の光源の反射光を除去するように構成される前記光路内の光学フィルタを提供する段階と、
（ｆ）前記捕捉された画像から前記印を識別すると共に表示および／または処理のためにその識別された印を出力するように構成された文書コントローラを提供する段階と、
を含んでなる方法であって、ここに、
前記第１の光源が駆動されたときに前記読取り面上の、前記文書の前記機械読取り可能ゾーンにより発出および／または反射される光によって画定される前記第１の印を含む文書画像が、前記光路を介して前記画像センサに転送され、前記画像センサにより捕捉される方法。
【請求項１９】  前記光学フィルタは、前記レンズと前記画像センサとの間に配置される請求項１８に記載の方法。
【請求項２０】  文書の機械読取り可能ゾーン内の第１の印を自動的に読み取る方法であって、前記第１の印は、可視光の照明を受けた場合には不可視であり、不可視光の照明を受けた場合には可視となる方法において、
（ａ）所定の紫外線周波数範囲の不可視光で，読取り面上の置かれた文書の前記機械読取り可能ゾーンを照明する段階であって、前記照明する段階は、前記第１の印を可視化すべく前記読取り面から離れたところに配置される複数のＵＶ  ＬＥＤの第１の光源を駆動することからなり、前記第１の印は前記所定の紫外線周波数範囲の前記不可視光による照明を受けた場合に可視光を発出するようなＵＶ螢光物質を含む段階と、
（ｂ）前記第１の光源の反射光を除去するために、前記読取り面と画像センサとの間に延びる光路内の光を光学的にフィルタリングする段階と、
（ｃ）前記光路内で、前記画像センサ上に文書画像を画定する光を集束させる段階と、
（ｄ）表示および／または処理のために、前記画像センサ上に集束された画像から前記印を識別する段階と、
を含んでなる方法であって、ここに、
前記第１の印を含む文書画像が、前記第１の光源が駆動されたときに、前記光路を介して前記画像センサに転送される方法。